(57)【要約】【課題】  ベース装置がハングアップしたとき、これを遠隔地から解除できる再起動装置を提供する。【解決手段】  ネットワーク６００に接続されて端末機２００から送信されてくる制御コマンドを受信する通信制御回路３１２と、この通信制御回路３１２の受信した制御コマンドが第１の制御コマンドのとき、これを検出する検出回路３１３を設ける。この検出回路３１３の検出出力によりオン・オフ制御されるスイッチ３０２を設ける。スイッチ３０２は、ベース装置１００の電源入力端１３１と、その電源供給端３０１との間の電源ラインに直列に接続される。端末機２００から第１の制御コマンドが送信されてきたとき、検出回路３１３の検出出力によりスイッチ３０２を所定の期間にわたってオンからオフに制御し、その後、再びオンに制御する。【選択図】  図３
2006163666.tif 000002
【特許請求の範囲】
【請求項１】
ネットワークを通じて端末機に所望のデータを送信するベース装置に接続される再起動装置であって、
上記ネットワークに接続されて上記端末機から送信されてくる制御コマンドを受信する通信制御回路と、
この通信制御回路の受信した制御コマンドが第１の制御コマンドのとき、これを検出する検出回路と、
この検出回路の検出出力によりオン・オフ制御されるスイッチと
を有し、
上記スイッチは、上記ベース装置の電源入力端と、その電源供給端との間の電源ラインに直列に接続され、
上記端末機から上記第１の制御コマンドが送信されてきたとき、上記検出回路の検出出力により上記スイッチを所定の期間にわたってオンからオフに制御し、その後、再びオンに制御する
ようにした再起動装置。
【請求項２】
請求項１に記載の再起動装置において、
上記検出回路は、上記第１の制御コマンドに加えて第２および第３の制御コマンドも検出するものとされ、
上記端末機から上記第２の制御コマンドが送信されてきたとき、上記検出回路の検出出力により上記スイッチをオンからオフに制御し、
上記端末機から上記第３の制御コマンドが送信されてきたとき、上記検出回路の検出出力により上記スイッチをオフからオンに制御する
ようにした再起動装置。
【請求項３】
請求項１あるいは請求項２に記載の再起動装置において、
上記ベース装置は、
テレビ放送波信号を受信して復調した映像信号および音声信号と、外部から入力された映像信号および音声信号との少なくとも一方を、ストリームデータの形態で上記ネットワークを通じて上記端末機に送信する回路
を有し、
上記端末機は、
上記ネットワークを通じて受信した上記ストリームデータを処理して映像および音声として出力する回路
を有する
ようにした再起動装置。
【発明の詳細な説明】
【技術分野】
【０００１】
この発明は、ベース装置がハングアップしたとき、これを解除する再起動装置に関する。
【背景技術】
【０００２】
ＡＶ機器などの電子機器として、ネットワーク機能を有するものが普及しつつある。このネットワーク機能を有する電子機器であれば、その動作を遠隔地から操作したり、その操作結果にしたがった情報を操作した場所で得ることができる。
【０００３】
例えば、ネットワーク機能を有するＡＶ機器であれば、出張先のホテルなどで、自宅に用意してあるコンテンツを視聴することができる。あるいはネットワーク機能を有する監視カメラであれば、遠隔地から監視カメラの向きやズーミングなどを制御し、対象となるものを的確にモニタ画面に映し出すことができる。
【０００４】
なお、先行技術文献として例えば以下のものがある。
【特許文献１】特開平１１−２４８０１号公報
【特許文献２】特開２００３−２４１８６１号公報
【発明の開示】
【発明が解決しようとする課題】
【０００５】
ところが、そのようなネットワーク機能を有する電子機器を遠隔地から利用している場合に、その電子機器で実行されているソフトウェアが何らかの理由によりハングアップをすることがある。このような場合には、ハングアップしたソフトウェアを強制終了させる必要があり、この強制終了をしないかぎり、その電子機器を活用することができなくなってしまう。
【０００６】
この発明は、このようなトラブルを遠隔地から解決することができ、再度、ネットワーク機能を利用できるようにしようとするものである。
【課題を解決するための手段】
【０００７】
この発明においては、
ネットワークを通じて端末機に所望のデータを送信するベース装置に接続される再起動装置であって、
上記ネットワークに接続されて上記端末機から送信されてくる制御コマンドを受信する通信制御回路と、
この通信制御回路の受信した制御コマンドが第１の制御コマンドのとき、これを検出する検出回路と、
この検出回路の検出出力によりオン・オフ制御されるスイッチと
を有し、
上記スイッチは、上記ベース装置の電源入力端と、その電源供給端との間の電源ラインに直列に接続され、
上記端末機から上記第１の制御コマンドが送信されてきたとき、上記検出回路の検出出力により上記スイッチを所定の期間にわたってオンからオフに制御し、その後、再びオンに制御する
ようにした再起動装置
とするものである。
【発明の効果】
【０００８】
この発明によれば、遠隔地で端末機を使用している場合にベース装置がハングアップをしても、その使用中の端末機からベース装置を再起動してハングアップから抜け出ることができる。
【０００９】
また、ベース装置の電源をいったんオフにしてからオンにしてベース装置を再起動しているので、通常の使用時に電源をオフからオンにする場合と同様、各部が適切に初期化され、したがって、再起動や再起動後の動作が確実となる。さらに、再起動装置は単体に構成でき、ベース装置の電源ラインに接続するだけでよいので、既存のベース装置に対しても有効である。
【発明を実施するための最良の形態】
【００１０】
〔１〕  ネットワーク機能を有するＡＶ機器のアウトライン
図１は、自宅でも、出張先などの遠隔地でも、自宅に用意してあるコンテンツを自由に視聴できるようにしたＡＶ機器について、その使用状態の一例を示す。また、図２はそのＡＶ機器の構成の一例のアウトラインを示す。このＡＶ機器は、ベース装置１００と、可搬型モニタ（可搬型の表示装置）２００とから構成される。
【００１１】
この場合、ベース装置１００は、自宅などに設置され、各種の映像信号および音声信号を可搬型モニタ２００に提供するものである。また、可搬型モニタ２００は、ベース装置１００の提供する映像および音声を、自宅や遠隔地で視聴するための端末である。なお、符号２００Ａは、自宅で使用する場合の可搬型モニタを示し、符号２００Ｂは、遠隔地、例えば出張先のホテルで使用する場合の可搬型モニタを示す。
【００１２】
そして、図２にも示すように、ベース装置１００は、テレビ放送を受信するチューナ回路１０１を内蔵するとともに、外部ＡＶ機器として例えばＤＶＤプレーヤ４００が接続されている。また、ベース装置１００は、送受信回路１１１と、通信制御回路１１２とを有する。
【００１３】
この場合、送受信回路１０２は、ベース装置１００と、可搬型モニタ２００との間を電波を通じて接続するためのものであり、例えばIEEE802.11にしたがうものとされている。また、通信制御回路１１２は、可搬型モニタ２００Ｂとの間をインターネット６００を通じて接続するためのものであり、この通信制御回路１１２は、ベース装置１００をインターネット６００に接続してネットワーク通信を実現するためのＬＳＩであり、ＴＣＰ／ＩＰにより送受信されるパケットの解析を行い、データの選択や送受信の制御を行なうものである。
【００１４】
さらに、ベース装置１００はマイクロコンピュータ１２０を有する。このマイクロコンピュータ１２０は、このベース装置１００の各部の動作を制御するためのものであり、これが有する不揮発性メモリ（図示せず）には各種のデータが保存されている。そして、商用交流電圧が、電源プラグ１３１からメイン電源スイッチ１３２を通じて電源回路１３３に供給されて所定の直流電圧が取り出され、この直流電圧が各回路にそれらの動作電圧として供給される。
【００１５】
そして、通信制御回路１１２が、例えば、ブロードバンドルータ５０１←→ＡＤＳＬ回線５０２←→ＩＳＰ５０３の通信ラインを通じてインターネット６００に接続される。
【００１６】
一方、可搬型モニタ２００は、送受信回路２１１と、通信制御回路２１２とを有する。送受信回路２１１は、ベース装置１００の送受信回路１１１と対となって可搬型モニタ２００と、ベース装置１００との間を電波を通じて接続するためのものであり、通信制御回路２１２は、ベース装置１００の通信制御回路１１２と同様のものである。
【００１７】
さらに、可搬型モニタ２００は、映像および音声の出力用としてＬＣＤ２１３およびスピーカ２１４を有するとともに、タッチパネル２１５を有する。このタッチパネル２１５は、可搬型モニタ２００からベース装置１００をリモコン（遠隔操作）するためのものであり、透明に構成されるとともに、ＬＣＤ２１３の表示面に積層されている。なお、符号２１６は、ハードウェアにより構成された操作ボタンで、例えばチャンネルのアップ・ダウンボタン、メニューボタンなどが含まれる。
【００１８】
また、可搬型モニタ２００は、ベース装置１００および可搬型モニタ２００の各部の動作を制御するため、マイクロコンピュータ２１０を有する。なお、可搬型モニタ２００の電源は充電式電池（図示せず）とされる。
【００１９】
〔２〕  ベース装置１００および可搬型モニタ２００の動作
ベース装置１００において、電源スイッチ１３２をオフからオンにすると、電源回路１３３から直流電圧が出力されて各回路にそれらの動作電圧として供給されるので、マイクロコンピュータ１２０において所定のプログラムが立ち上がる。この立ち上がり時、マイクロコンピュータ１２０の不揮発性メモリに保存されているデータにしたがって各部が初期化される。したがって、以後、ベース装置１００は定常状態となる。
【００２０】
また、可搬型モニタ２００においては、操作ボタン２１６のうちのメニューボタンを押すと、マイクロコンピュータ２２０によりＬＣＤ２１３にメニューが表示される。そこで、タッチパネル２１５を操作すると、そのメニューから各種の設定画面に遷移する。
【００２１】
例えば、メニュー画面において、ベース装置１００と可搬型モニタ２００とを接続するとき、電波を通じて接続するか、インターネット経由で接続するかの設定画面を選択すると、その設定画面が表示され、接続方法を選択すると、その選択結果がマイクロコンピュータ２２０の不揮発性メモリ（図示せず）に保存される。
【００２２】
そして、可搬型モニタ２００は以下のようにしてベース装置１００にアクセスすることができ、ベース装置１００の提供するコンテンツを利用できるようになる。
【００２３】
〔２−１〕  可搬型モニタ２００を自宅で使用する場合
これは、ベース装置１００と可搬型モニタ２００とを電波を通じて接続する場合である。この場合には、可搬型モニタ２００ＡのＬＣＤ２１３に操作ボタンやアイコンなどが表示されたとき、これを操作すると、可搬型モニタ２００Ａにおいて、その操作内容に対応する制御コマンド（必要に応じてデータを含む）が形成され、この制御コマンドが送受信回路２１１を通じて電波によりベース装置１００へと送信される。
【００２４】
すると、ベース装置１００においては、可搬型モニタ２００Ａから送信されてきた制御コマンドが、送受信回路１１１により受信されてマイクロコンピュータ１２０に供給され、ベース装置１００は可搬型モニタ２００Ａの操作内容に対応した状態に制御される。例えば、目的とするテレビチャンネルが受信され、あるいはベース装置１００によりＤＶＤプレーヤ４００がリモコンされて再生が実行される。そして、こうして得られた映像信号および音声信号が、送受信回路１１１を通じて電波により可搬型モニタ２００Ａへと送信される。
【００２５】
すると、可搬型モニタ２００においては、ベース装置１００から送信されてきた映像信号および音声信号が、送受信回路２１１により受信されてＬＣＤ２１３およびスピーカ２１４に供給され、ＬＣＤ２１３およびスピーカ２１４からは目的とする映像および音声が出力される。したがって、可搬型モニタ２００Ａによりベース装置１００に用意されているコンテンツを視聴できる。
【００２６】
〔２−２〕  可搬型モニタ２００を遠隔地で使用する場合
これは、ベース装置１００と可搬型モニタ２００とをインターネット６００を通じて接続する場合である。この場合には、可搬型モニタ２００Ｂを、通信制御回路２１２を通じてインターネット６００に接続しておく。そして、可搬型モニタ２００ＢのＬＣＤ２１３に操作ボタンやアイコンなどが表示されたとき、これを操作すると、マイクロコンピュータ２２０において、その操作内容に対応する制御コマンドが形成され、この制御コマンドが、ベース装置１００を指定するＩＰアドレスとともに、通信制御回路２１２を通じてインターネット６００へと送り出される。
【００２７】
すると、ベース装置１００においては、可搬型モニタ２００Ｂから送られてきた制御コマンドが、通信制御回路１１２を通じてマイクロコンピュータ１２０に供給され、ベース装置１００は可搬型モニタ２００Ｂの操作内容に対応した状態に制御される。そして、目的とする映像信号および音声信号が、通信制御回路１１２を通じてストリームデータの形態で、可搬型モニタ２００Ｂを指定するＩＰアドレスとともに、インターネット６００へと送り出される。
【００２８】
すると、可搬型モニタ２００Ｂにおいては、ベース装置１００から送られてきた映像信号および音声信号が、通信制御回路２１２により取り出され、ＬＣＤ２１３およびスピーカ２１４からは目的とする映像および音声が出力される。したがって、遠隔地では、インターネット経由で、自宅に用意されているコンテンツを視聴することができる。
【００２９】
〔３〕  再起動装置
〔３−１〕  再起動装置の構成
ベース装置１００のマイクロコンピュータ１２０が何らかの理由によりハングアップをすることがあるが、このような場合、上述のように、ハングアップしたマイクロコンピュータ１２０を強制終了させる必要がある。
【００３０】
図３において、符号３００は、マイクロコンピュータ１２０がハングアップしたとき、そのマイクロコンピュータ１２０を、このとき使用している可搬型モニタ２００から強制終了させて再起動をさせるための再起動回路を示す。
【００３１】
すなわち、再起動装置３００は、電源プラグ３０１と、常開スイッチ３０２と、アウトレット３０３とを有し、電源プラグ３０１と、アウトレット３０３との間の電源供給ラインに、常開スイッチ３０２が直列に接続される。そして、電源プラグ３０１が、壁のコンセント（図示せず）などに接続されて商用交流電圧が供給され、アウトレット３０３にベース装置１００の電源プラグ１３１が接続される。
【００３２】
さらに、再起動装置３００は、通信制御回路３１２と、マイクロコンピュータ３１３と、リレー３１４とを有する。この場合、通信制御回路３１２は、通信制御回路１１２、２１２と同様の回路であり、モジュラジャック３１１に接続されるとともに、マイクロコンピュータ３１３に接続される。
【００３３】
また、マイクロコンピュータ３１３は、通信制御回路３１２およびインターネット６００を通じて可搬型モニタ２００に接続され、その可搬型モニタ２００との間で、各種の制御コマンドの送受信を行うものである。さらに、マイクロコンピュータ３１３は、後述するように制御コマンドの検出ないし判別も行うものでもある。
【００３４】
さらに、リレー３１４はマイクロコンピュータ３１３の出力により駆動されるものであり、このリレー３１４の例えば常開接点がスイッチ３０２とされる。また、電源プラグ３０１に供給される商用交流電圧が電源回路３２０に供給されて所定の直流電圧が取り出され、この直流電圧が各回路にそれらの動作電圧として供給される。そして、モジュラジャック３１１はＬＡＮケーブル３５１を通じてルータ５０１に接続される。
【００３５】
なお、再起動回路３００には、固有のＩＰアドレスが付与され、このＩＰアドレスは、マイクロコンピュータ３１３の不揮発性メモリ（図示せず）に保存されている。
【００３６】
〔３−２〕  再起動装置３００の動作
定常時には、マイクロコンピュータ３１３によりリレー３１４が駆動され、そのスイッチ３０２はオンとされ、この結果、電源プラグ３０１に供給された商用交流電圧は、スイッチ３０２およびアウトレット３０３を通じてベース装置１００の電源プラグ１３１に供給される。
【００３７】
したがって、ベース装置１００の電源スイッチ１３２をオンとしておけば、ベース装置１００において、〔２〕において説明した処理が実行され、ベース装置１００および可搬型モニタ２００の使用が可能とされる。
【００３８】
〔３−２−１〕  遠隔地からのベース装置１００のハングアップの解決
遠隔地で可搬型モニタ２００を使用している場合に、ベース装置１００が何らかの理由によりハングアップをしたときには、このとき使用している可搬型モニタ２００のメニューボタン２１６を操作してＬＣＤ２１３にメニューを表示し、このメニューから「ベース装置の再起動」を選択する。
【００３９】
すると、マイクロコンピュータ２２０において、ベース装置１００の再起動を指示する制御コマンドが形成され、この制御コマンドが、可搬型モニタ２００から再起動装置３００のＩＰアドレスを指定してインターネット６００へと送り出される。そして、この制御コマンドは、再起動装置３００により受信されて通信制御回路３１２から出力され、さらに、マイクロコンピュータ３１３により再起動の制御コマンドであることが検出ないし判別される。
【００４０】
この結果、マイクロコンピュータ３１３によりリレー３１４が所定の期間τにわたって駆動されなくなり、この期間τには、スイッチ３０２がオンからオフとされる。したがって、期間τになると、ベース装置１００の電源がオフになり、ベース装置１００がこのとき実行していたソフトウェアは強制的に終了される。
【００４１】
そして、期間τが経過すると、マイクロコンピュータ３１３によりリレー３１４が駆動され、スイッチ３０２がオンとなる。したがって、ベース装置１００は、再び通電されることになり、その電源スイッチ１３２をオフからオンにした場合と同様に、あらかじめインストールしてあるソフトウェアが立ち上がる。
【００４２】
そして、この立ち上がり時、マイクロコンピュータ１２０の不揮発性メモリに保存されているデータにしたがって各部が初期化されるので、以後、ベース装置１００は定常状態となり、可搬型モニタ２００からのアクセスができるようになる。
【００４３】
こうして、遠隔地で可搬型モニタ２００を使用している場合に、ベース装置１００がハングアップをしても、その使用中の可搬型モニタ２００により遠隔地からベース装置１００を再起動してベース装置１００のハングアップから抜け出ることができる。
【００４４】
〔３−２−２〕  遠隔地からのベース装置１００の電源のオフ
可搬型モニタ２００を遠隔地で使用する状況にあるが、例えば長時間にわたってベース装置１００を使用しないようなときには、可搬型モニタ２００のメニューボタン２１６を操作してＬＣＤ２１３にメニューを表示し、このメニューから「ベース装置の電源オフ」を選択する。
【００４５】
すると、可搬型モニタ２００において、電源オフを指示する制御コマンドが形成され、この制御コマンドが、再起動装置３００のＩＰアドレスを指定してインターネット６００へと送り出される。そして、この制御コマンドは、再起動装置３００により受信されて通信制御回路３１２から出力され、さらに、マイクロコンピュータ３１３により電源オフの制御コマンドであることが検出ないし判別される。この結果、マイクロコンピュータ３１３によりリレー３１４が駆動されなくなり、以後、スイッチ３０２がオンからオフとされる。
【００４６】
したがって、この時点からベース装置１００には商用交流電圧が供給されなくなり、ベース装置１００は電源オフの状態となる。そして、遠隔地からでもベース装置１００の電源をオフにできるので、無駄な電力消費を避けることができる。
【００４７】
〔３−２−３〕  遠隔地からのベース装置１００の電源のオン
〔３−２−２〕により遠隔地からベース装置１００の電源をオフしたが、その後オンにしたいときには、可搬型モニタ２００のメニューボタン２１６を操作してＬＣＤ２１３にメニューを表示し、このメニューから「ベース装置の電源オン」を選択して実行を指示する。
【００４８】
すると、可搬型モニタ２００において、電源オンを指示する制御コマンドが形成され、この制御コマンドが、再起動装置３００のＩＰアドレスを指定してインターネット６００へと送り出される。そして、この制御コマンドは、再起動装置３００により受信されて通信制御回路３１２から出力され、さらに、マイクロコンピュータ３１３により電源オンの制御コマンドであることが検出ないし判別される。この結果、マイクロコンピュータ３１３によりリレー３１４が駆動され、以後、スイッチ３０２がオフからオンとされる。
【００４９】
したがって、この時点からベース装置１００は再び通電されることになり、電源スイッチ１５２をオフからオンにした場合と同様、あらかじめインストールしてあるソフトウェアが立ち上がり、この結果、〔３−２−１〕の期間τの経過後の場合のように、ベース装置１００は定常状態となり、可搬型モニタ２００からのアクセスができるようになる。
【００５０】
こうして、例えば節電のためベース装置１００の電源をオフにした場合でも、遠隔地からベース装置１００の電源をオンにしてベース装置として使用することができる。
【００５１】
〔４〕  まとめ
上述の再起動装置３００によれば、遠隔地で可搬型モニタ２００を使用している場合にベース装置１００がハングアップをしても、その使用中の可搬型モニタ２００からベース装置１００を再起動してハングアップから抜け出ることができる。
【００５２】
また、ベース装置１００の電源をいったんオフにしてからオンにしてベース装置１００を再起動しているので、通常の使用時に電源をオフからオンにする場合と同様、各部が適切に初期化され、したがって、再起動や再起動後の動作が確実となる。さらに、図３にも示すように、再起動装置３００は単体に構成でき、ベース装置１００の電源ラインに接続するだけでよいので、既存のベース装置１００に対しても有効である。
【００５３】
〔５〕  再起動装置３００の他の例
図４は、再起動装置３００を再起動回路３１０に構成してベース装置１００に内蔵させた場合である。この場合も、通信制御回路３１２、マイクロコンピュータ３１３、リレー３１４および電源回路３２０が、〔３〕の場合と同様に構成されるとともに、通信制御回路１２２、３１２がハブ回路３１５を通じてモジュラジャック１１３に接続され、さらに、ルータ５０１に接続される。
【００５４】
したがって、可搬型モニタ２００により、〔３〕の場合と同様に、遠隔地からのベース装置１００のハングアップの解決、遠隔地からのベース装置１００の電源のオフ、および遠隔地からのベース装置１００の電源のオンを実行することができる。
【００５５】
〔６〕  その他
上述において、ベース装置１００および可搬型モニタ２００を、例えば家庭内ＬＡＮを通じて接続することもでき、その場合にも、ベース装置１００がハングアップしたとき、可搬型モニタ２００からベース装置１００を再起動することができる。
【００５６】
〔略語の一覧〕
ＡＤＳＬ：Asymmetric Digital Subscriber Line
ＡＶ    ：Audio and Visual
ＩＥＥＥ：Institute of Electrical and Electronics Engineers
ＩＳＰ  ：Internet Service Provider
ＬＡＮ  ：Local Area Network
ＬＣＤ  ：Liquid Crystal Display
ＬＳＩ  ：Large Scale Integration
TCP/IP  ：Transmission Control Protocol/Internet Protocol
リモコン：Remote Control
【図面の簡単な説明】
【００５７】
【図１】この発明を説明するための系統図である。
【図２】ネットワーク機能を有するＡＶ機を説明するための系統図である。
【図３】この発明の一形態を示す系統図である。
【図４】この発明の他の形態を示す系統図である。
【符号の説明】
【００５８】
１００…ベース装置、１１２…通信制御回路、１２０…マイクロコンピュータ、１３３…電源回路、２００…可搬型モニタ、２１２…通信制御回路、２２０…マイクロコンピュータ、３００…再起動回路、３１２…通信制御回路、３１３…マイクロコンピュータ、３１４…リレー、６００…インターネット
【図１】
2006163666.tif 000003
【図２】
2006163666.tif 000004
【図３】
2006163666.tif 000005
【図４】
2006163666.tif 000006
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
ネットワークを通じて端末機に所望のデータを送信するベース装置に接続される再起動装置であって、
上記ネットワークに接続されて上記端末機から送信されてくる制御コマンドを受信する通信制御回路と、
この通信制御回路の受信した制御コマンドが第１の制御コマンドのとき、これを検出する検出回路と、
この検出回路の検出出力によりオン・オフ制御されるスイッチと
を有し、
上記スイッチは、上記ベース装置の電源入力端と、その電源供給端との間の電源ラインに直列に接続され、
上記端末機から上記第１の制御コマンドが送信されてきたとき、上記検出回路の検出出力により上記スイッチを所定の期間にわたってオンからオフに制御し、その後、再びオンに制御する
ようにした再起動装置。
【請求項２】
請求項１に記載の再起動装置において、
上記検出回路は、上記第１の制御コマンドに加えて第２および第３の制御コマンドも検出するものとされ、
上記端末機から上記第２の制御コマンドが送信されてきたとき、上記検出回路の検出出力により上記スイッチをオンからオフに制御し、
上記端末機から上記第３の制御コマンドが送信されてきたとき、上記検出回路の検出出力により上記スイッチをオフからオンに制御する
ようにした再起動装置。
【請求項３】
請求項１あるいは請求項２に記載の再起動装置において、
上記ベース装置は、
テレビ放送波信号を受信して復調した映像信号および音声信号と、外部から入力された映像信号および音声信号との少なくとも一方を、ストリームデータの形態で上記ネットワークを通じて上記端末機に送信する回路
を有し、
上記端末機は、
上記ネットワークを通じて受信した上記ストリームデータを処理して映像および音声として出力する回路
を有する
ようにした再起動装置。
【請求項４】
ベース装置と、
端末機と、
再起動装置と
から構成され、
上記ベース装置は、
テレビ放送波信号を受信して復調した映像信号および音声信号と、外部から入力された映像信号および音声信号との少なくとも一方を、ストリームデータの形態でネットワークを通じて上記端末機に送信する回路を有し、
上記端末機は、
上記ネットワークを通じて受信した上記ストリームデータを処理して映像および音声として出力する回路と、
制御コマンドを上記ネットワークを通じて送信する回路と
を有し、
上記再起動装置は、
上記ネットワークに接続されて上記端末機から送信されてくる制御コマンドを受信する通信制御回路と、
この通信制御回路の受信した制御コマンドが第１の制御コマンドのとき、これを検出する検出回路と、
上記ベース装置の電源入力端と、その電源供給端との間の電源ラインに直列に接続されるとともに、上記検出回路の検出出力によりオン・オフ制御されるスイッチと
を有し、
上記再起動装置は、上記端末機から上記第１の制御コマンドが送信されてきたとき、上記検出回路の検出出力により上記スイッチを所定の期間にわたってオンからオフに制御し、その後、再びオンに制御する
ようにした映像および音声の送受信システム。
【請求項５】
請求項４に記載の映像および音声の送受信システムにおいて、
上記再起動装置は、
上記検出回路が、上記第１の制御コマンドに加えて第２および第３の制御コマンドも検出する構成とされ、
上記端末機から上記第２の制御コマンドが送信されてきたとき、上記検出回路の検出出力により上記スイッチをオンからオフに制御し、
上記端末機から上記第３の制御コマンドが送信されてきたとき、上記検出回路の検出出力により上記スイッチをオフからオンに制御する
ようにした映像および音声の送受信システム。
【手続補正３】
【補正対象書類名】明細書
【補正対象項目名】００１３
【補正方法】変更
【補正の内容】
【００１３】
この場合、送受信回路１１１は、ベース装置１００と、可搬型モニタ２００との間を電波を通じて接続するためのものであり、例えばIEEE802.11にしたがうものとされている。また、通信制御回路１１２は、可搬型モニタ２００Ｂとの間をインターネット６００を通じて接続するためのものであり、この通信制御回路１１２は、ベース装置１００をインターネット６００に接続してネットワーク通信を実現するためのＬＳＩであり、ＴＣＰ／ＩＰにより送受信されるパケットの解析を行い、データの選択や送受信の制御を行なうものである。
【手続補正４】
【補正対象書類名】明細書
【補正対象項目名】００１５
【補正方法】変更
【補正の内容】
【００１５】
そして、通信制御回路１１２が、例えば、ブロードバンドルータ５０１と、ＡＤＳＬ回線５０２と、ＩＳＰ５０３とを経由してインターネット６００に接続される。
【手続補正５】
【補正対象書類名】明細書
【補正対象項目名】００１７
【補正方法】変更
【補正の内容】
【００１７】
さらに、可搬型モニタ２００は、映像および音声の出力用としてＬＣＤ２１３およびスピーカ２１４を有するとともに、タッチパネル２１５を有する。このタッチパネル２１５は、可搬型モニタ２００からベース装置１００を遠隔操作するためのものであり、透明に構成されるとともに、ＬＣＤ２１３の表示面に積層されている。なお、符号２１６は、ハードウェアにより構成された操作ボタンで、例えばチャンネルのアップ・ダウンボタン、メニューボタンなどが含まれる。
【手続補正６】
【補正対象書類名】明細書
【補正対象項目名】００１８
【補正方法】変更
【補正の内容】
【００１８】
また、可搬型モニタ２００は、ベース装置１００および可搬型モニタ２００の各部の動作を制御するため、マイクロコンピュータ２２０を有する。なお、可搬型モニタ２００の電源は充電式電池（図示せず）とされる。
【手続補正７】
【補正対象書類名】明細書
【補正対象項目名】００２４
【補正方法】変更
【補正の内容】
【００２４】
すると、ベース装置１００においては、可搬型モニタ２００Ａから送信されてきた制御コマンドが、送受信回路１１１により受信されてマイクロコンピュータ１２０に供給され、ベース装置１００は可搬型モニタ２００Ａの操作内容に対応した状態に制御される。例えば、目的とするテレビチャンネルが受信され、あるいはベース装置１００によりＤＶＤプレーヤ４００が遠隔操作されて再生が実行される。そして、こうして得られた映像信号および音声信号が、送受信回路１１１を通じて電波により可搬型モニタ２００Ａへと送信される。
【手続補正８】
【補正対象書類名】明細書
【補正対象項目名】００２５
【補正方法】変更
【補正の内容】
【００２５】
すると、可搬型モニタ２００Ａにおいては、ベース装置１００から送信されてきた映像信号および音声信号が、送受信回路２１１により受信されてＬＣＤ２１３およびスピーカ２１４に供給され、ＬＣＤ２１３およびスピーカ２１４からは目的とする映像および音声が出力される。したがって、可搬型モニタ２００Ａによりベース装置１００に用意されているコンテンツを視聴できる。
【手続補正９】
【補正対象書類名】明細書
【補正対象項目名】００４９
【補正方法】変更
【補正の内容】
【００４９】
したがって、この時点からベース装置１００は再び通電されることになり、電源スイッチ１３２をオフからオンにした場合と同様、あらかじめインストールしてあるソフトウェアが立ち上がり、この結果、〔３−２−１〕の期間τの経過後の場合のように、ベース装置１００は定常状態となり、可搬型モニタ２００からのアクセスができるようになる。
【手続補正１０】
【補正対象書類名】明細書
【補正対象項目名】００５６
【補正方法】変更
【補正の内容】
【００５６】
〔略語の一覧〕
ＡＤＳＬ：Asymmetric Digital Subscriber Line
ＡＶ    ：Audio and Visual
ＩＥＥＥ：Institute of Electrical and Electronics Engineers
ＩＳＰ  ：Internet Service Provider
ＬＡＮ  ：Local Area Network
ＬＣＤ  ：Liquid Crystal Display
ＬＳＩ  ：Large Scale Integration
TCP/IP  ：Transmission Control Protocol/Internet Protocol